(57)【要約】      （修正有）【課題】救出口開閉蓋の開閉スペースについて省スペース化を図ることができ、天井部の上面の機器レイアウトの自由度をより向上させることができるエレベータのかご室を提供する。【解決手段】かご室１の天井部１ａの中央には、四角形状の開口である救出口が設けられている。天井部１ａの上面には、救出口を塞ぐように、救出口開閉蓋１０が載置されている。ガイド部材１３Ａ，１３Ｂは、それぞれ第１ガイド溝１ｃ，１ｄに挿入された状態では、第１ガイド溝１ｃ，１ｄに沿って摺動可能である。取付部材１１Ａ〜１１Ｄは、それぞれ第２ガイド溝１ｅ〜１ｈに挿入された状態では、第２ガイド溝１ｅ〜１ｈに沿って摺動可能である。ガイド部材１３Ａ，１３Ｂ及び取付部材１１Ａ〜１１Ｄが、各ガイド溝１ｃ〜１ｈに沿って摺動することにより、救出口開閉蓋１０が、閉塞位置と開放位置との間で天井部１ａの上面に沿って変位する。【選択図】図２
2011051703.tif 000002
【特許請求の範囲】
【請求項１】
天井部に救出口が設けられたエレベータのかご室であって、
前記天井部に設けられ、前記救出口を閉塞するための閉塞位置と、前記救出口を開放するための開放位置との間で、前記天井部の表面に沿って変位可能な救出口開閉蓋
を備えることを特徴とするエレベータのかご室。
【請求項２】
前記救出口開閉蓋の下面には、ガイド部材が下方へ突出するように設けられており、
前記天井部には、前記ガイド部材の変位を案内するためのガイド溝が前記救出口から水平方向の一方向に沿って設けられており、
前記救出口開閉蓋は、前記天井部の上面に載置されており、前記ガイド部材が前記ガイド溝に沿って摺動することにより、前記閉塞位置と前記開放位置との間で前記天井部の表面に沿って変位可能になっている
ことを特徴とする請求項１記載のエレベータのかご室。
【請求項３】
前記救出口開閉蓋の下面には、下方へ突出するように配置された取付部材と、前記取付部材に取り付けられた照明器具とが設けられており、
前記ガイド溝は、第１ガイド溝であり、
前記天井部には、前記取付部材の変位を案内するための第２ガイド溝が前記救出口から前記第１ガイド溝に対して平行に設けられており、
前記救出口開閉蓋は、前記ガイド部材が前記第１ガイド溝に沿って摺動するとともに、前記取付部材が前記第２ガイド溝に沿って摺動することにより、前記閉塞位置と前記開放位置との間で前記天井部の表面に沿って変位可能になっている
ことを特徴とする請求項２記載のエレベータのかご室。
【請求項４】
前記天井部の前記第１ガイド溝及び前記第２ガイド溝の少なくともいずれか一方の縁部には、前記第１ガイド溝及び前記第２ガイド溝の少なくともいずれか一方を閉塞するための溝閉塞部材が設けられている
ことを特徴とする請求項３記載のエレベータのかご室。
【請求項５】
前記救出口開閉蓋は、前記救出口を塞ぐように前記天井部に互いに並べて配置された複数の分割蓋によって構成されている
ことを特徴とする請求項１から請求項４までのいずれか１項に記載のエレベータのかご室。
【請求項６】
前記複数の分割蓋は、前記閉塞位置と前記開放位置との間で、それぞれ上下方向で重なり合うように変位可能になっている
ことを特徴とする請求項５記載のエレベータのかご室。
【発明の詳細な説明】
【技術分野】
【０００１】
この発明は、天井部に救出口が設けられたエレベータのかご室に関する。
【背景技術】
【０００２】
従来のエレベータのかご室では、救出口（非常救出口）を形成するボックスが天井部に設置され、救出口を開閉する救出口開閉蓋の両側面がリンクによってボックスに連結されている（例えば、特許文献１参照）。この救出口開閉蓋の両側面の一端部には、それぞれピンが設けられている。また、ボックスには、ピンの移動を案内するためのガイドプレートが救出口開閉蓋の両側面に対向するように設けられている。そして、救出口開閉蓋を開くときには、ピンの反対側を引き上げることにより、リンク及びガイドプレートを用いていないエレベータのかご室に比べて、救出口開閉蓋の開閉軌道が比較的低くなり、救出口開閉蓋が上梁等の障害物に干渉しにくくなる。
【先行技術文献】
【特許文献】
【０００３】
【特許文献１】特開平１１−７９６１８号公報
【発明の概要】
【発明が解決しようとする課題】
【０００４】
上記のような従来のエレベータのかご室では、救出口開閉蓋の開閉軌道が比較的低くなり、救出口開閉蓋が上梁等の障害物に干渉しにくくなる。しかしながら、かご室の天井部の上方に救出口開閉蓋の開閉スペース（開閉軌道用のスペース）を確保する必要がある点では、リンク及びガイドプレートを用いていないエレベータのかご室と同様であるため、依然としてかご室の天井部の上面の機器レイアウトが制限されていた。
【０００５】
この発明は、上記のような課題を解決するためになされたものであり、天井部の救出口開閉蓋の開閉スペースについて省スペース化を図ることができ、天井部の上面の機器レイアウトの自由度をより向上させることができるエレベータのかご室を得ることを目的とする。
【課題を解決するための手段】
【０００６】
この発明に係るエレベータのかご室は、天井部に救出口が設けられたものであって、前記天井部に設けられ、前記救出口を閉塞するための閉塞位置と、前記救出口を開放するための開放位置との間で、前記天井部の表面に沿って変位可能な救出口開閉蓋を備える。
【発明の効果】
【０００７】
この発明に係るエレベータのかご室によれば、救出口開閉蓋が、閉塞位置と開放位置との間で天井部の表面に沿って変位可能となっているので、天井部の上側での救出口開閉蓋の開閉スペースが不要になることから、天井部の救出口開閉蓋の開閉スペースについて省スペース化を図ることができ、天井部の上面の機器レイアウトの自由度をより向上させることができる。
【図面の簡単な説明】
【０００８】
【図１】この発明の実施の形態１によるエレベータのかご室を示す斜視図である。
【図２】図１のＩＩ−ＩＩ線に沿う断面図である。
【図３】図１の救出口開閉蓋の変位の過程を説明するための説明図である。
【図４】図１の救出口の開放状態を示す平面図である。
【図５】この発明の実施の形態２によるエレベータのかご室を示す斜視図である。
【図６】図５のＶＩ−ＶＩ線に沿う断面図である。
【図７】図５の救出口開閉蓋の変位の過程を説明するための説明図である。
【図８】図７のＶＩＩＩ−ＶＩＩＩ線に沿う断面図である。
【図９】図５の救出口の開放状態を示す平面図である。
【発明を実施するための形態】
【０００９】
以下、この発明を実施するための形態について、図面を参照して説明する。
実施の形態１．
図１は、この発明の実施の形態１によるエレベータのかご室を示す斜視図である。図２は、図１のＩＩ−ＩＩ線に沿う断面図である。
図１，２において、かご室１の天井部１ａの中央には、四角形状の開口である救出口１ｂが設けられている。また、天井部１ａには、水平方向の一方向（図１の左右方向）に対してそれぞれ平行な第１ガイド溝１ｃ，１ｄ及び第２ガイド溝１ｅ〜１ｈが設けられている。
【００１０】
第１ガイド溝１ｃ，１ｄは、救出口１ｂから、救出口１ｂの上辺及び下辺（図１の左右方向に平行な辺）を水平方向の一方向へ延長するように配置されている。第２ガイド溝１ｅ〜１ｈは、それぞれ第１ガイド溝１ｃ，１ｄ間に配置されている。また、第２ガイド溝１ｅ〜１ｈは、救出口１ｂから、水平方向の一方向へ延びるように配置されている。さらに、第１ガイド溝１ｃ，１ｄと第２ガイド溝１ｅ〜１ｈとは、互いに平行に配置されている。
【００１１】
天井部１ａの下面には、吊天井２及びグローブ３が設けられている。吊天井２には、開口が形成されている。グローブ３は、吊天井２の開口の縁部に引っ掛けられた状態で取り付けられている。また、グローブ３は、かご室１の室内から天井部１ａに向けて押し上げられることによって、引っ掛け状態が解除される。そして、グローブ３の引っ掛け状態が解除されることによって、グローブ３が吊天井２から取り外し可能となる。
【００１２】
さらに、天井部１ａの下面における第１ガイド溝１ｃ，１ｄ及び第２ガイド溝１ｅ〜１ｈの縁部には、各ガイド溝１ｃ〜１ｈを閉塞するための溝閉塞部材４Ａ〜４Ｌが取り付けられている。溝閉塞部材４Ａ〜４Ｌは、例えば、ゴム等の弾性部材や、刷毛状の部材等である。
【００１３】
また、天井部１ａの上面には、救出口１ｂを塞ぐように、救出口開閉蓋１０が載置されている。救出口開閉蓋１０は、例えばかご室１の天井部１ａと同質の鋼材等により、四角形の板状に形成されている。救出口開閉蓋１０の下面には、取付部材（取付金具）１１Ａ〜１１Ｄと、照明器具１２Ａ，１２Ｂと、ガイド部材１３Ａ，１３Ｂとが設けられている。
【００１４】
取付部材１１Ａ〜１１Ｄは、救出口開閉蓋１０の下面の中央部に、下方に向けて突出するように配置されている。また、取付部材１１Ａ〜１１Ｄは、それぞれ第２ガイド溝１ｅ〜１ｈに挿入可能になっている。照明器具１２Ａ，１２Ｂは、取付部材１１Ａ〜１１Ｄを介して、救出口開閉蓋１０の下面の中央部に取り付けられている。また、照明器具１２Ａ，１２Ｂは、例えば蛍光管等である。
【００１５】
ガイド部材１３Ａ，１３Ｂは、救出口開閉蓋１０の下面の上辺部及び下辺部（図１の上下の辺部）に、ガイド部材１３Ａ，１３Ｂが下方へ向けて突出するように配置されている。また、ガイド部材１３Ａ，１３Ｂは、それぞれ救出口開閉蓋１０の上辺部及び下辺部に沿って配置されている。さらに、ガイド部材１３Ａ，１３Ｂの形状は、断面Ｌ字状である。また、ガイド部材１３Ａ，１３Ｂは、Ｌ字の先端が互いに向き合うように配置されている。さらに、ガイド部材１３Ａ，１３Ｂは、それぞれ第１ガイド溝１ｃ，１ｄに挿入可能になっている。
【００１６】
ここで、ガイド部材１３Ａ，１３Ｂは、それぞれ第１ガイド溝１ｃ，１ｄに挿入された状態では、第１ガイド溝１ｃ，１ｄに沿って摺動可能である。また、取付部材１１Ａ〜１１Ｄは、それぞれ第２ガイド溝１ｅ〜１ｈに挿入された状態では、第２ガイド溝１ｅ〜１ｈに沿って摺動可能である。そして、ガイド部材１３Ａ，１３Ｂ及び取付部材１１Ａ〜１１Ｄが、各ガイド溝１ｃ〜１ｈに沿って摺動することにより、図３（ａ）〜（ｃ）に示すように、救出口開閉蓋１０が、水平面に沿った姿勢を維持した状態で、天井部１ａの上面（表面）に沿って変位する。
【００１７】
このように、救出口開閉蓋１０が変位することによって、救出口１ｂが開放される。つまり、救出口開閉蓋１０は、救出口１ｂを閉塞するための閉塞位置と、救出口１ｂを開放するための開放位置との間で水平方向に変位可能になっている。また、救出口１ｂが開放された状態では、図３（ｃ）及び図４に示すように、照明器具１２Ａ，１２Ｂが天井部１ａと上下方向で重なり合うように配置される。
【００１８】
さらに、救出口１ｂが開放された状態では、ガイド部材１３Ａ，１３ＢのＬ字の先端部が天井部１ａの下面と対向している（上下方向で重なっている）。そして、この状態では、救出口開閉蓋１０の上方への変位は、ガイド部材１３Ａ，１３ＢのＬ字の先端部によって規制される。即ち、ガイド部材１３Ａ，１３ＢのＬ字の先端部は、救出口開閉蓋１０の抜け止め構造をなしている。
【００１９】
また、溝閉塞部材４Ａ〜４Ｌは、ガイド部材１３Ａ，１３Ｂ及び取付部材１１Ａ〜１１Ｄが各ガイド溝１ｃ〜１ｈに挿入されていないときには、各ガイド溝１ｃ〜１ｈを閉塞する。他方、溝閉塞部材４Ａ〜４Ｌは、ガイド部材１３Ａ，１３Ｂ及び取付部材１１Ａ〜１１Ｄが各ガイド溝１ｃ〜１ｈに挿入されているときには、ガイド部材１３Ａ，１３Ｂ及び取付部材１１Ａ〜１１Ｄに当接する。即ち、この状態では、溝閉塞部材４Ａ〜４Ｌは、ガイド部材１３Ａ，１３Ｂ及び取付部材１１Ａ〜１１Ｄと、各ガイド溝１ｃ〜１ｈとの間の隙間を埋める。
【００２０】
次に、かご室１の乗客救出作業について簡単に説明する。通常時は、図１のように、救出口開閉蓋１０が閉塞位置に配置されており、救出口１ｂが救出口開閉蓋１０によって閉塞されている。このときに、ガイド部材１３Ａ，１３Ｂ及び取付部材１１Ａ〜１１Ｄが各ガイド溝１ｃ〜１ｈに挿入されていない。
【００２１】
他方、かご室１内の乗客を救出する際には、救出口開閉蓋１０が、図３（ａ）の矢示のように水平方向へ変位される。このときに、ガイド部材１３Ａ，１３Ｂ及び取付部材１１Ａ〜１１Ｄが各ガイド溝１ｃ〜１ｈに挿入され、図３（ｂ）及び図３（ｃ）のように、救出口開閉蓋１０が閉塞位置から開放位置へ変位されて、救出口１ｂが開放される。そして、かご室１内からグローブ３が取り外され、かご室１内の乗客をかご室１外へ救出可能となる。
【００２２】
上記のような実施の形態１のエレベータのかご室によれば、救出口開閉蓋１０が、閉塞位置と開放位置との間で天井部１ａの上面に沿って変位可能となっている。この構成により、天井部１ａの上側での救出口開閉蓋１０の開閉スペースが不要になることから、天井部１ａの救出口開閉蓋１０の開閉スペースについて省スペース化を図ることができ、天井部１ａの上面の機器レイアウトの自由度をより向上させることができる。つまり、上梁やかご機器（いずれも図示せず）が天井部１ａの上面から比較的低い位置に配置されている場合であっても、救出口１ｂを容易に開閉することができる。
【００２３】
また、救出口開閉蓋１０が閉塞位置に配置されているときに、照明器具１２Ａ，１２Ｂ及び取付部材１１Ａ〜１１Ｄが天井部１ａの下面側に配置される。この構成により、利用者が、救出口１ｂ、及びその周辺の救出経路を通る際に、照明器具１２Ａ，１２Ｂ及び取付部材１１Ａ〜１１Ｄ等に引っ掛かる可能性を低減させることができる。
【００２４】
さらに、溝閉塞部材４Ａ〜４Ｌが設けられている。この構成により、救出口開閉蓋１０が閉塞位置に配置されているときには、各ガイド溝１ｃ〜１ｈが溝閉塞部材４Ａ〜４Ｌによって塞がれていることから、ゴミ等が吊天井２及びグローブ３の内部に入り込むことを防ぐことができる。
【００２５】
実施の形態２．
先の実施の形態１では、１つの救出口開閉蓋１０によって救出口１ｂが開閉された。これに対して、実施の形態２では、救出口開閉蓋２０が第１分割蓋２１及び第２分割蓋２２によって構成されており、この分割蓋２１及び分割蓋２２によって救出口１ｂが開閉される。
【００２６】
図５は、この発明の実施の形態２によるエレベータのかご室を示す斜視図である。図６は、図５のＶＩ−ＶＩ線に沿う断面図である。図５，６において、実施の形態２の救出口１ｂは、第１開口領域αと第２開口領域βとを含んでいる。第１開口領域αの長辺（ＶＩ−ＶＩ線と平行な辺）の長さ寸法は、第２開口領域βの長辺の長さ寸法よりも短い寸法である。
【００２７】
実施の形態２の第１ガイド溝１ｃ，１ｄ及び第２ガイド溝１ｅ〜１ｈは、第２開口領域βから水平方向の一方向へ延びるように配置されている。また、実施の形態２の各ガイド溝１ｃ〜１ｈの長さ寸法は、実施の形態１の各ガイド溝１ｃ〜１ｈの長さ寸法よりも短い寸法である。さらに、実施の形態２の第１ガイド溝１ｃ，１ｄの溝幅は、実施の形態１の第１ガイド溝１ｃ，１ｄの溝幅よりも大きな溝幅である。
【００２８】
実施の形態２の救出口開閉蓋２０は、第１分割蓋２１及び第２分割蓋２２によって構成されている。第１分割蓋２１及び第２分割蓋２２は、例えばかご室１の天井部１ａと同質の鋼材等により、矩形板状に形成されている。第１分割蓋２１の長辺の長さ寸法は、第２分割蓋２２の長辺の長さ寸法よりも短い寸法である。
【００２９】
第１分割蓋２１は、天井部１ａにおける救出口１ｂの第１開口領域αを閉塞するための閉塞位置に載置されている。第２分割蓋２２は、天井部１ａにおける救出口１ｂの第２開口領域βを閉塞するための閉塞位置に、第１分割蓋２１に並べて天井部１ａに載置されている。即ち、実施の形態２の救出口１ｂは、第１分割蓋２１及び第２分割蓋２２によって塞がれている。なお、実施の形態２の取付部材１１Ａ〜１１Ｄ及び照明器具１２Ａ，１２Ｂは、第１分割蓋２１の下面に設けられている。
【００３０】
第１分割蓋２１の下面には、第１ガイド部材２３Ａ，２３Ｂが取り付けられている。第２分割蓋２２の下面には、第２ガイド部材２４Ａ，２４Ｂが取り付けられている。各ガイド部材２３Ａ，２３Ｂ，２４Ａ，２４Ｂの形状は、断面Ｌ字状である。また、各ガイド部材２３Ａ，２３Ｂ，２４Ａ，２４Ｂは、実施の形態１のガイド部材１３Ａ，１３Ｂと同様に、第１ガイド溝１ｃ，１ｄに挿入可能となっており、第１ガイド溝１ｃ，１ｄに挿入された状態では、第１ガイド溝１ｃ，１ｄに沿って摺動可能となっている。他の構成は、実施の形態１と同様である。
【００３１】
ここで、第１分割蓋２１及び第２分割蓋２２の変位について具体的に説明する。第１ガイド部材２３Ａ，２３ＢのＬ字の角部は、第２ガイド部材２４Ａ，２４ＢのＬ字の先端部と当接可能となっており、その当接した状態では、第２ガイド部材２４Ａ，２４Ｂに沿って摺動可能となっている。これにより、図７（ａ），（ｂ）に示すように、第１分割蓋２１は、（第２分割蓋２２の左辺部が持ち上げられた状態で）第２分割蓋２２の下側の入り込むように天井部１ａの上面に沿って変位可能になっている。即ち、第１分割蓋２１及び第２分割蓋２２は、閉塞位置と開放位置との間で、互いに重なり合うように変位可能となっている。
【００３２】
そして、第１分割蓋２１及び第２分割蓋２２が図７（ｂ）の矢示のように変位されて、図７（ｃ），８，９のように、第１分割蓋２１及び第２分割蓋２２が開放位置に配置され、救出口１ｂが開放される。この第１分割蓋２１及び第２分割蓋２２が開放位置に配置された状態において、第１分割蓋２１及び第２分割蓋２２は、互いに上下方向で重なり合った状態となる。つまり、第１分割蓋２１は、第２分割蓋２２と天井部１ａの上面との間に収納される。また、この状態において、照明器具１２Ａ，１２Ｂは、天井部１ａの下面の下側に配置される。
【００３３】
上記のような実施の形態２のエレベータのかご室によれば、第１分割蓋２１及び第２分割蓋２２は、閉塞位置と開放位置との間で、互いに上下方向で重なり合うように、天井部１ａの上面に沿って変位可能となっている。この構成により、第１分割蓋２１及び第２分割蓋２２の開閉方向の救出口１ｂの長さ寸法に対して、第１分割蓋２１及び第２分割蓋２２の寸法を小さくすることができる。
【００３４】
ここで、一般的なエレベータのかご室において、救出口は、利用者が出入りするため、かご室の大小に関わらず、予め決まった大きさの面積を要する。特に、かご室が小さい場合、天井部の面積も小さいため、救出口を開放したときに、救出口開閉蓋の占有スペースも小さくなってしまう。
これに対して、実施の形態２のエレベータのかご室では、第１分割蓋２１及び第２分割蓋２２が開放位置に配置された状態では、互いに上下方向で重なり合った状態となる。この構成により、天井部１ａの上面における第１分割蓋２１及び第２分割蓋２２の占有スペースを、実施の形態１に比べて小さくすることができる。従って、救出口１ｂの面積に対して天井部１ａの面積が小さい場合でも、第１分割蓋２１及び第２分割蓋２２により救出口１ｂを開閉することができる。
【００３５】
なお、実施の形態２において、天井部１ａの各ガイド溝１ｃ〜１ｈの縁部に、実施の形態１の溝閉塞部材４Ａ〜４Ｌを取り付けてもよい。
【００３６】
また、実施の形態２において、救出口開閉蓋２０が第１分割蓋２１と第２分割蓋２２との２つの分割蓋に分割されていた。しかしながら、この例に限定するものではなく、救出口開閉蓋２０が３つ以上の分割蓋に分割されていてもよい。この場合、天井部１ａの上面における救出口開閉蓋２０の占有スペースをより小さくすることができる。
【００３７】
さらに、実施の形態２において、第１分割蓋２１と第２分割蓋２２とが互いに重なり合うように変位可能となっていた。しかしながら、この例に限定するものではなく、第１分割蓋２１と第２分割蓋２２とが同一平面上で変位可能であってもよい。例えば、図７（ｃ）において、第１分割蓋２１を救出口１ｂの左側に変位可能とし、第２分割蓋２２を救出口１ｂの右側に変位可能とした構成であってもよい。この場合、天井部１ａの上面における救出口開閉蓋２０の占有スペースの全体の面積は実施の形態１の場合と同等であるが、その占有スペースを救出口１ｂの図７（ｃ）の左右両側のスペースに分割することができる。
【００３８】
また、実施の形態１，２では、救出口開閉蓋１０，２０が天井部１ａの上面に沿って変位可能となっていたが、救出口開閉蓋１０，２０が天井部１ａの下面（表面）に沿って変位可能な構成であってもよい。この場合、天井部１ａに、救出口開閉蓋１０，２０を天井部１ａから支持し、かつ救出口開閉蓋１０，２０の水平方向への変位を案内する機構（例えば、ガイドレール等）を天井部１ａの下面に設ければよい。
【００３９】
さらに、実施の形態１，２では、救出口開閉蓋１０，２０の下面に照明器具１２Ａ，１２Ｂが取付部材１１Ａ〜１１Ｄを介して取り付けられており、照明器具１２Ａ，１２Ｂとともに救出口開閉蓋１０，２０が天井部１ａの上面に沿って変位可能となっていた。しかしながら、照明器具１２Ａ，１２Ｂが救出口開閉蓋１０，２０以外の部材に取り付けられていてもよい。この場合には、救出口開閉蓋２０が照明器具１２Ａ，１２Ｂと分離して、天井部１ａの表面に沿って変位可能となる。
【符号の説明】
【００４０】
１  かご室、１ａ  天井部、１ｂ  救出口、１ｃ，１ｄ  第１ガイド溝、１ｅ〜１ｈ  第２ガイド溝、４Ａ〜４Ｈ  閉塞部材、１０，２０  救出口開閉蓋、１１Ａ〜１１Ｄ  取付部材、１２Ａ，１２Ｂ  照明器具、１３Ａ，１３Ｂ  ガイド部材、２１  第１分割蓋、２２  第２分割蓋、２３Ａ，２３Ｂ  第１ガイド部材、２４Ａ，２４Ｂ  第２ガイド部材、α  第１開口領域、β  第２開口領域。
【図１】
2011051703.tif 000003
【図２】
2011051703.tif 000004
【図３】
2011051703.tif 000005
【図４】
2011051703.tif 000006
【図５】
2011051703.tif 000007
【図６】
2011051703.tif 000008
【図７】
2011051703.tif 000009
【図８】
2011051703.tif 000010
【図９】
2011051703.tif 000011